(57)【要約】【課題】表面電位計を利用することなく，簡便な構成で帯電ムラを抑制することが可能な画像形成装置を提供すること。【解決手段】カラープリンタ１００は，非画像形成時，現像装置４の現像バイアスに，帯電装置３の帯電バイアスの中心値と現像バイアスの中心値との電位差を断続的に変化させるノコギリ波の重畳バイアスを重畳させる。そして，その状態で露光を行わずにトナー像を形成する。そして，そのトナー像のトナー濃度を濃度センサ１１により検出し，閾値濃度ＩＤ１を通過した時点から閾値濃度ＩＤ２を経過するまでの所要時間に相当する濃度幅Ｔを検出する。そして，この濃度幅Ｔがあらかじめ設定した基準幅Ｔ０よりも大きいか否かを判断することで，感光体ドラム２の表面電位の電位ムラを抽出する。【選択図】            図１
2006337686.tif 000002
【特許請求の範囲】
【請求項１】
トナー像を担持する像担持体と，前記像担持体の表面を所定の帯電させる帯電部材と，前記像担持体上にトナーを付与する現像部材と，トナー濃度を検出するトナー濃度検出部材とを有する画像形成装置において，
非画像形成時の所定の期間に，
前記帯電部材に印加する帯電バイアスと前記現像部材に印加する現像バイアスとの少なくとも一方に，帯電バイアスの中心値と現像バイアスの中心値との差を断続的に変化させるバイアスを重畳し，
前記像担持体上に所定のパターンのトナー像を形成し，
前記トナー濃度検出部材にてそのトナー像のトナー濃度を検出し，そのトナー濃度が，第１の閾値に達してから第２の閾値に達するまでの所要時間を取得し，
その所要時間とあらかじめ設定された目標時間との差が所定の許容値を超えているか否かによって帯電ムラの有無を判断することを特徴とする画像形成装置。
【請求項２】
請求項１に記載する画像形成装置において，
帯電バイアスと現像バイアスとの少なくとも一方に重畳されるバイアスは，三角波であることを特徴とする画像形成装置。
【請求項３】
請求項１または請求項２に記載する画像形成装置において，
前記トナー像は，非露光状態で現像することによって形成されたパターンを有することを特徴とする画像形成装置。
【請求項４】
請求項１から請求項３のいずれか１つに記載する画像形成装置において，
前記トナー像が１次転写される中間転写部材を備え，
帯電バイアスと現像バイアスとの少なくとも一方に重畳されるバイアスの上限ピーク値から下限ピーク値に達するまでの時間をθと，プロセス速度をｖと，中間転写部材の周長をＬとすると，次の式（Ａ）を満たすことを特徴とする画像形成装置。
ｖ×θ＜Ｌ    （Ａ）
【請求項５】
請求項１から請求項４のいずれか１つに記載する画像形成装置において，
帯電バイアスと現像バイアスとの少なくとも一方に重畳されるバイアスのピーク間電圧値は，１０Ｖから２０００Ｖの範囲内であることを特徴とする画像形成装置。
【請求項６】
請求項１から請求項５のいずれか１つに記載する画像形成装置において，
前記所要時間と前記目標時間との差が所定の許容値を超えたときに，帯電バイアスのピーク間電圧値を大きくすることを特徴とする画像形成装置。
【請求項７】
請求項１から請求項６のいずれか１つに記載する画像形成装置において，
前記所要時間と前記目標時間との差が所定の許容値を超えたときに，前記帯電部材のクリーニング処理を開始することを特徴とする画像形成装置。
【発明の詳細な説明】
【技術分野】
【０００１】
本発明は，電子写真方式にて画像を形成する画像形成装置に関する。さらに詳細には，非画像形成時に帯電バイアスあるいは現像バイアスを調節することにより，像担持体の表面電位の安定化を図る画像形成装置に関するものである。
【背景技術】
【０００２】
従来から，電子写真方式の画像形成装置では，感光体ドラム等の像担持体の表面を帯電させ，露光により静電潜像を形成している。そして，画像に応じたトナー像を形成し，そのトナー像を用紙等の記録媒体上に転写することにより画像を形成している。
【０００３】
そして，像担持体の表面を帯電する帯電装置には，回転する像担持体に接触（近接するものも含む）しつつ像担持体の表面を帯電させる接触帯電方式のものや，コロナ放電を利用した非接触帯電方式のものがある。接触帯電方式の帯電装置は，非接触方式の帯電装置等と比較して，オゾン発生量が軽微であり，低い印加電圧で作動できるといった利点を有している。
【０００４】
一方，接触帯電装置は，像担持体との微小空隙での放電現象を利用しているため，帯電部材と像担持体との接触状態により帯電特性が変化し易い。また，接触帯電部材は，帯電部材の劣化や汚れなどによる表面状態の変化や抵抗の変化，あるいは湿度や温度などの環境条件の変化により，帯電特性が変化し易い。この帯電特性の変化は，通紙方向の帯電ムラとなって画像ノイズの原因となる。
【０００５】
この問題を解決するため，耐久状態や環境条件を基に帯電特性を予測し，その予測値にしたがって帯電バイアスを制御する方法がある（例えば，特許文献１）。すなわち，あらかじめ帯電ムラが発生し難い帯電条件を設定しておき，予測値に応じた帯電バイアスを印加することで，像担持体の表面電位の帯電ムラを抑制している。また，実際の感光体ドラムの表面電位を表面電位計などで測定し，帯電ムラが発生している際に帯電ムラを抑制する帯電バイアスを印加するものが開示されている（例えば，特許文献２）。
【特許文献１】特許３２００１２１号公報
【特許文献２】特公平６−８９７２号公報
【発明の開示】
【発明が解決しようとする課題】
【０００６】
しかしながら，前記した従来の技術には，次のような問題があった。すなわち，帯電特性を予測する方法では，すべての変動要因を網羅して予測制御することは困難である。また，環境条件に合致したとしても必ずしも帯電特性が変化するとは限らない。また，表面電位計を配置する方法では，表面電位計を配置することで装置全体のコンパクト化の妨げとなる。さらには，コストアップを招く。
【０００７】
本発明は，前記した従来の画像形成装置が有する問題点を解決するためになされたものである。すなわちその課題とするところは，表面電位計を利用することなく，簡便な構成で帯電ムラを抑制することが可能な画像形成装置を提供することにある。
【課題を解決するための手段】
【０００８】
この課題の解決を目的としてなされた画像形成装置は，トナー像を担持する像担持体と，像担持体の表面を所定の帯電させる帯電部材と，像担持体上にトナーを付与する現像部材と，トナー濃度を検出するトナー濃度検出部材とを有する画像形成装置であって，非画像形成時の所定の期間に，帯電部材に印加する帯電バイアスと現像部材に印加する現像バイアスとの少なくとも一方に，帯電バイアスの中心値と現像バイアスの中心値との差を断続的に変化させるバイアスを重畳し，像担持体上に所定のパターンのトナー像を形成し，トナー濃度検出部材にてそのトナー像のトナー濃度を検出し，そのトナー濃度が，第１の閾値に達してから第２の閾値に達するまでの所要時間を取得し，その所要時間とあらかじめ設定された目標時間との差が所定の許容値を超えているか否かによって帯電ムラの有無を判断するすることを特徴としている。
【０００９】
すなわち，本発明の画像形成装置は，非画像形成時の所定の期間に，次のようなバイアスの制御を行う。まず，帯電バイアスと現像バイアスとをともに印加した状態で，帯電バイアスと現像バイアスとの少なくとも一方に，帯電バイアスの中心値（すなわち，直流成分Ｖｄｃ）と現像バイアスの中心値（同じく，Ｖｄｃ）との差を断続的に変化させる低周波数のバイアスを重畳する。
【００１０】
そして，像担持体上にトナー像を形成する。トナー像のパターンとしては，非露光状態で現像することによって形成されたパターンであるとよりよい。つまり，非画像部に所定のトナー像を形成することで，非画像部での最適電位を制御することができる。このトナー像は，重畳させたバイアスの影響を受け，通紙方向に向かって徐々に濃度が変化する像となる。このトナー像のトナー濃度（所定の面積あたりのトナー量）をトナー濃度検出部材にて通紙方向に沿って検出する。
【００１１】
また，本発明の画像形成装置には，あらかじめトナー濃度の閾値が少なくとも２つ設定されている。そして，そのトナー濃度の閾値のうちの，２つの閾値間を通過するのに要した時間を取得する。具体的には，トナー濃度が，第１の閾値を超えてから第２の閾値に達するまでの所要時間を取得する。この所要時間は，通紙方法の幅（延いては濃度分布の傾き）に相当する。そのため，この幅の長短によって通紙方向の帯電ムラ，つまりは濃度分布のばらつきを判断することができる。すなわち，検出した所要時間（もしくは幅）とあらかじめ設定された目標時間（もしくは目標幅）との差が許容値以上の場合には，帯電ムラが生じていると判断することができる。
【００１２】
本発明の画像形成装置では，トナー濃度検出部材の検出結果を基に像担持体の帯電ムラを検出することができる。そのため，表面電位計は不要である。また，トナー濃度検出部材は，従来の画像形成装置においても階調補正などの現像特性を調節するために付設されている。そのため，部品点数の増加は招かない。また，トナー濃度のばらつきを測定することで，帯電部材の特性のばらつきのほか，現像部材の特性のばらつきにつていも考慮することができる。よって，像担持体の表面電位についてより一層の最適化が図られる。
【００１３】
また，本発明の画像形成装置は，帯電バイアスと現像バイアスとの少なくとも一方に重畳されるバイアスが三角波であることとするとよりよい。すなわち，重畳するバイアスについて，電圧値が直線的に変化する三角波（ノコギリ波などを含む）を適用することにより，電圧値と経過時間との対応付けが容易となるとともに，検知精度のばらつきが小さくなる。
【００１４】
また，本発明の画像形成装置は，トナー像が１次転写される中間転写部材を備え，帯電バイアスと現像バイアスとの少なくとも一方に重畳されるバイアスの上限ピーク値から下限ピーク値に達するまでの時間をθと，プロセス速度をｖと，中間転写部材の周長をＬとすると，次の式（Ａ）を満たすこととするとよりよい。
ｖ×θ＜Ｌ    （Ａ）
【００１５】
また，本発明の画像形成装置は，帯電バイアスと現像バイアスとの少なくとも一方に重畳されるバイアスのピーク間電圧値が１０Ｖから２０００Ｖの範囲内であることとするとよりよい。
【００１６】
また，本発明の画像形成装置は，取得した所要時間とあらかじめ設定された目標時間との差が所定の許容値を超えたときに，帯電バイアスのピーク間電圧値を大きくすることとするとよりよい。すなわち，帯電ムラが許容値を超えたとき，帯電バイアスのピーク間電圧値を大きくする。これにより，帯電ムラを抑制することができる。また，帯電ムラが所定の許容値を超えたとき，帯電部材のクリーニング処理を開始することとしてもよい。これにより，帯電部材の汚れに起因する帯電ムラを抑制することができる。
【発明の効果】
【００１７】
本発明によれば，トナー濃度を基に像担持体の帯電ムラを推測していることから，表面電位計は不要である。よって，表面電位計を利用することなく，簡便な構成で帯電ムラを抑制することが可能な画像形成装置が実現している。
【発明を実施するための最良の形態】
【００１８】
以下，本発明にかかる画像形成装置を具体化した実施の形態について，添付図面を参照しつつ詳細に説明する。本形態は，タンデム型のカラープリンタに本発明を適用したものである。
【００１９】
本形態の画像形成装置は，タンデム方式のフルカラープリンタであり，図１に示すように並列に配置された４つの画像形成ユニットを有するものである。具体的に，本形態のカラープリンタ１００は，４色の画像形成ユニット１Ｋ，１Ｃ，１Ｍ，１Ｙを有している。また，その他に中間転写ベルト８，２次転写ローラ９，クリーニングブレード１０等を有している。また，中間転写ベルト８上には，転写されたトナー像のトナー濃度を検出するための濃度センサ１１が設けられている。各画像形成ユニットは，中間転写ベルト８上に各色の画像を形成するものである。各画像形成ユニットは，画像形成ユニット１Ｋがブラック（Ｋ），画像形成ユニット１Ｃがシアン（Ｃ），画像形成ユニット１Ｍがマゼンタ（Ｍ），画像形成ユニット１Ｙがイエロー（Ｙ）の各色に対応している。なお，各画像形成ユニットの配置は上記の順序に限定されるものではない。
【００２０】
また，画像形成ユニット１Ｋは，図２に示すようにトナー像を担持する感光体ドラム２を有している。感光体ドラム２は，図２中の矢印方向に一定の速度で回転するようになっている。また，感光体ドラム２の周囲には，その回転方向に沿って，帯電装置３，現像器４，転写装置５，クリーニングブレード７が順次配置されている。なお，帯電装置３と現像器４との間には，潜像が形成される露光部が設けられている。その他の画像形成ユニットについても同様の構成となっている。
【００２１】
帯電装置３は，感光体ドラム２の表面を均一に帯電させるものである。帯電装置３としては，コロナ放電により帯電させる非接触型のコロナ帯電装置の他，導電性の接触帯電部材を感光体ドラム２の表面に接触させて帯電させる接触型の帯電装置が適用可能である。接触型の帯電装置としては，ローラ型，ブレード型，ブラシ型，シート型など各種のものがある。また，帯電装置３への印加バイアス（帯電バイアス）の形態は，感光体ドラム２の表面電位を所定の値に設定できるものであればどのようなものであってもよい。例えば，直流電圧や交流電圧であってもよいし，直流電圧に交流電圧を重畳した振動電圧であってもよい。また，パルス電圧，その他の波形の電圧でもよい。また，感光体ドラム２の表面電位は，マイナス側に限るものではなく，プラス側であってもよい。本形態では，サイン波（直流成分（Ｖｄｃ）：−５５０Ｖ，ピーク間電圧（Ｖｐｐ）：１２００Ｖ，周波数：２ｋＨｚ）の帯電バイアスが印加される。
【００２２】
現像器４は，潜像上にトナーを付与する機能を有している。現像器４としては，接触型であっても非接触型であってもよい。また，現像方式は，トナーとキャリアとからなる二成分現像方式であっても，キャリアを含まない一成分現像方式であってもよい。また，本形態では，マイナス帯電トナーを使用するが，トナー像の現像が可能であれば，プラス帯電トナーであってもよい。本形態では，矩形波（Ｖｄｃ：−４２０Ｖ，Ｖｐｐ：１６００Ｖ，周波数：２ｋＨｚ，マイナス側のデューティ比：３５％）の現像バイアスが印加される。
【００２３】
続いて，本形態のカラープリンタ１００にて画像を形成する場合の動作について説明する。まず，帯電装置３の負極性バイアスにより，感光体ドラム２の表面が所定の電位に帯電される。次に，露光部にて１ページ目の潜像が形成される。露光手段としては，静電潜像を形成可能なものであればよく，例えばレーザ露光が適用可能である。
【００２４】
次に，現像器４により，負極性のトナーによる現像が行われ，感光体ドラム２上に１ページ目のトナー像が形成される。次に，転写装置５により，１ページ目のトナー像が中間転写ベルト８上に転写される。すなわち，感光体ドラム２上のトナーは，転写装置５の正極性バイアスにより中間転写ベルト８に転写される。このとき，一部のトナーは，転写されずに感光体ドラム２上に残留する。
【００２５】
次に，クリーニングブレード７により，感光体ドラム２上に残留したトナーが掻き取られる。その後，再び帯電装置３により感光体ドラム２の表面が帯電される。次に，露光部で２ページ目の静電潜像が形成される。次に，再び現像器４により現像が行われ，トナー像が形成される。
【００２６】
このような動作を画像形成ユニットごとに繰り返し，中間転写ベルト８上にそれぞれの色のトナー画像を重ねる。そして，４色のトナー像が重ね合わせられることにより，中間転写ベルト８上にカラー画像が形成される。このカラー画像が２次転写ローラ９にて記録紙に転写される。そして，その記録紙が定着装置を介して排出トレイに出力される。
【００２７】
さらに，１つのプリントジョブが終了した後，所定の枚数を出力した後，電源投入直後などの非画像形成時に，帯電バイアスの調節が行われる。本形態では，帯電バイアス（すなわち，感光体ドラム２の表面電位）と現像バイアス（すなわち，現像ローラの電位）との差を変化させ，露光を行わずに現像を行う。そして，現像されたトナー像のトナー濃度を基に帯電ムラの有無を判断する。そして，帯電ムラが生じている場合には，帯電ムラを抑制するために帯電バイアスの調節を行う。このような動作を画像形成ユニットごとに行う。帯電バイアスの調節の詳細は後述する。
【００２８】
続いて，帯電バイアスの調整方法，詳細には帯電ムラの有無の判断方法および帯電ムラの抑制方法について，図３に示すフローチャートを基に詳説する。なお，帯電バイアスの調節は，非画像形成時に行う。
【００２９】
まず，帯電バイアスと現像バイアスとをともに印加した状態で，帯電バイアスのＶｄｃと現像バイアスのＶｄｃとの差を断続的に変化させるバイアスを現像バイアスに重畳する（Ｓ１）。すなわち，感光体ドラム２の表面電位と現像電位との差を断続的に変化させるバイアスを現像バイアスに重畳する。本形態では，ノコギリ波（Ｖｄｃ：−４００Ｖ，Ｖｐｐ：４００Ｖ，周波数：１ｋＨｚ）を現像バイアスに重畳させる。なお，この現像バイアスに重畳させるバイアス（重畳バイアス）の，波形，周波数，Ｖｐｐ，Ｖｄｃなどは，使用する現像器のシステム速度によって変化させてもよい。
【００３０】
また，重畳バイアスは，ノコギリ波に限らず，サイン波などでもよい。しかし，バイアスの印加後の経過時間と，そのときに印加されている電圧値が１対１で対応しているものが望ましい。また，サイン波のように電圧値が曲線的に変化するものよりも，三角波のように電圧値が直線的に変化するものの方が制御が容易である。そのため，本実施の形態では，マイナス側からプラス側に変化するノコギリ波を利用する。もちろん，ノコギリ波はプラス側からマイナス側に変化するものであってもよい。
【００３１】
重畳バイアスのＶｐｐは，表面電位が測定できる幅に相当する。Ｖｐｐが大きいとトナー像の濃淡の差が大きくなり，測定精度が向上する。Ｖｐｐを小さくすると測定できる範囲が狭くなる。一方，Ｖｐｐを大きくすると表面電位の変化が大きくなる。そのため，感光体ドラムの表面と現像器との間にリーク等の不具合が生じる。それらを考慮すると，重畳バイアスのＶｐｐをＶｄとし，次の条件（１）を満たすことが望ましい。
１０＜Ｖｄ＜２０００            （１）
【００３２】
重畳バイアスの周波数は，表面電位の測定時間に相当する。周波数が低いと測定時間が長くなり，測定精度が向上する。しかし，測定に時間がかかることや，表面電位の測定時のトナー消費量が多くなる。重畳バイアスの周波数は，ノコギリ波の最大値から最小値に変化するまでの時間をθ（ｓ），プロセス速度ｖ（ｍｍ／ｓ），中間転写ベルトの周長Ｌ（ｍｍ）として，次の条件（２）を満たすように設定することが望ましい。
ｖ×θ＜Ｌ                      （２）
この条件を満たすことにより，中間転写ベルト８上に重ね合わせられることなく，確実にトナー像全体を転写することができる。
【００３３】
なお，重畳バイアスは，帯電バイアスに重畳させてもよい。あるいは，帯電バイアスと現像バイアスとの双方に重畳させてもよい。
【００３４】
次に，Ｓ１の処理の重畳バイアスを印加した状態で，露光を行わずに現像を行う（Ｓ２）。そして，感光体ドラム２上に現像されたトナー像を中間転写ベルト８上に転写する（Ｓ３）。
【００３５】
次に，中間転写ベルト８上のトナー像のトナー濃度を濃度センサ１１にて測定する（Ｓ４）。本形態では，現像バイアスに対して，マイナス側からプラス側に変化するノコギリ波を重畳しているため，図４に示すように通紙方向に沿って濃度が徐々に小さくなる，すなわち徐々に薄くなるようなトナー像が形成される。そして，図４では省略してあるが，このようなトナー像が通紙方向に繰り返し形成される。
【００３６】
次に，あらかじめ設定された２つの閾値濃度ＩＤ１，ＩＤ２間の濃度幅Ｔを測定する（Ｓ５：図５参照）。具体的には，低濃度側の閾値である閾値濃度ＩＤ１に達してから高濃度側の閾値濃度ＩＤ２に達するまでの所要時間を計測する。この所要時間を基に，濃度幅Ｔを算出する。濃度幅Ｔは，帯電ムラが大きいほど長くなる傾向にあることが知られている（図６参照）。すなわち，閾値濃度ＩＤ１，ＩＤ２間を通過するのに必要な時間が長くなる。そのため，あらかじめ正常時の濃度幅（基準幅）Ｔ０を規定しておくことにより，測定された濃度幅Ｔと基準幅Ｔ０との差から帯電ムラを検出することができる。つまり，その差が許容値以下であればその帯電ムラは許容され，許容値より大きければ帯電ムラが生じていると判断する。
【００３７】
なお，ここで検出される帯電ムラは，感光体ドラム２の表面電位のムラだけに起因するものではなく，現像バイアスの電位ムラも含まれる。すなわち，現像バイアスの特性にも依存し，現像バイアスの電位ムラによっても濃度幅が大きくなる。そのため，濃度幅Ｔを測定することで，感光体ドラム２の表面電位を直接測定する方法ではなしえなかった感光体ドラム２の表面電位と現像バイアスのＶｄｃとの両方に起因する特性のばらつきを検出することができる。
【００３８】
次に，測定した濃度幅Ｔと基準幅Ｔ０との差を基に帯電ムラを抑制する制御を行う（Ｓ６）。具体的には，その差の絶対値があらかじめ設定した閾値以上となったときに調節を行う。帯電バイアスの調節方法には，例えば次のような方法がある。
【００３９】
まず，帯電バイアスを，帯電ムラを軽減するバイアスに変更する。例えば，帯電バイアスのＶｐｐを大きくすることで帯電ムラが減少することが知られている。そのため，帯電ムラが軽減される帯電バイアスに変更し，再度帯電ムラを測定する。
【００４０】
それでも帯電ムラが解消されないときには，帯電装置３を清掃モードに切り換える。帯電装置３の汚れに起因する帯電ムラであれば，帯電装置３を清掃することで帯電ムラが軽減される。そのため，清掃モードにて清掃処理を行った後，再度帯電ムラを測定する。
【００４１】
それでもなお帯電ムラが解消されないときには，帯電装置３の寿命と判断する。そして，帯電装置３が寿命であることをユーザに知らせるとともに，帯電ムラが原因となる画像ノイズが発生する旨をユーザに知らせる。
【００４２】
なお，本形態では，閾値濃度を２つ設けているが，これに限るものではない。すなわち，３つ以上の閾値濃度を設けることでより精度が高い帯電ムラの測定を行うことが可能である。
【００４３】
以上詳細に説明したように本形態のカラープリンタ１００では，非画像形成時に，帯電バイアスの制御を行うこととしている。具体的には，現像バイアスに帯電バイアスのＶｄｃと現像バイアスのＶｄｃとの電位差を断続的に変化させるノコギリ波の重畳バイアスを重畳させ，その状態で露光を行わずにトナー像を形成することとしている。そして，そのトナー像のトナー濃度を検出し，通紙方向の所定のトナー濃度の範囲である濃度幅Ｔを算出することとしている。この濃度幅Ｔは，濃度センサ１１から検出されたトナー濃度が第１の閾値濃度ＩＤ１に達してから第２の閾値濃度ＩＤ２に達するまでの経過時間から算出される。電位ムラが生じている場合には，この濃度幅Ｔが正常値よりも長くなる。そのため，濃度幅Ｔの長さを正常値と比較することで，表面電位計を利用することなく帯電ムラの有無を判断することができる。よって，コンパクト化の妨げとなったり，コストアップを招くことはない。なお，濃度センサ１１は，階調補正などの現像特性を制御するために従来の画像形成装置でも付設されているものであり，部品点数の増加を招くものではない。
【００４４】
また，表面電位の最適化を，実際にトナー像を形成して行っていることから，現像器４やトナーの変化による現像条件のばらつきも反映することができている。つまり，より精度が高い最適化処理を行うことができている。よって，表面電位計を利用することなく，簡便な構成で帯電ムラを抑制することが可能な画像形成装置が実現している。
【００４５】
なお，本実施の形態は単なる例示にすぎず，本発明を何ら限定するものではない。したがって本発明は当然に，その要旨を逸脱しない範囲内で種々の改良，変形が可能である。例えば，画像形成装置としては，プリンタ，複写機，スキャナ，ＦＡＸ等であって電子写真方式にて画像を形成するものであれば適用可能である。また，カラー画像を形成するものであってもモノクロ画像専用のものであってもよい。また，タンデム方式であっても４サイクル方式であってもよい。
【００４６】
また，本実施の形態では，中間転写ベルト上に転写されたトナー像のトナー濃度を測定しているが，これに限るものではない。例えば，現像された直後の感光体ドラム上に位置するトナー像のトナー濃度を測定してもよい。
【００４７】
また，本実施の形態では，重畳バイアスを現像バイアスに重畳させているが，これに限るものではない。すなわち，帯電バイアスに重畳させてもよい。
【図面の簡単な説明】
【００４８】
【図１】実施の形態に係るカラープリンタの構成を示す概略図である。
【図２】実施の形態に係る画像形成ユニットの構成を示す概略図である。
【図３】帯電バイアスの調節手順を示すフローチャートである。
【図４】一次転写後のトナー像のイメージを示す図である。
【図５】トナー像のトナー濃度のパターンを示す図（その１）である。
【図６】トナー像のトナー濃度のパターンを示す図（その２）である。
【符号の説明】
【００４９】
１Ｋ    画像形成ユニット
２      感光体ドラム（像担持体）
３      帯電装置（帯電部材）
４      現像装置（現像部材）
５      転写装置
７      クリーニングブレード
８      中間転写ベルト（中間転写部材）
１１    濃度センサ（トナー濃度検出部材）
１００  カラープリンタ（画像形成装置）
【図１】
2006337686.tif 000003
【図２】
2006337686.tif 000004
【図３】
2006337686.tif 000005
【図４】
2006337686.tif 000006
【図５】
2006337686.tif 000007
【図６】
2006337686.tif 000008